(57)【要約】【課題】      釣り場で自立して置ける釣用収納具に釣糸が容易に引き出せるポケットを取り付けた釣用収納具を提供することである。【解決手段】  釣り場で自立して置ける釣竿ケ−スからなる釣用収納具１は、筒状の釣竿ケ−ス本体２と釣竿ケ−ス本体２の正面に取り付けられたポケット３と縦長袋４で構成されている。  ポケット３は透光性を有する合成樹脂シ−トで形成され、上部の開口αにはチャック１３が取り付けられ、ポケット３の側部３ａのチャック１３の端より下側にハトメ状の環で釣糸を挿通する挿通部５が設けられている。  ポケット３内には糸巻き６が投入されて釣糸１４が挿通部５を通して外部に引き出される。【選択図】        図１
2007195472.tif 000002
【特許請求の範囲】
【請求項１】
釣用収納具に糸巻きを投入する開口を有するポケットを設け、該ポケットの側面に釣糸を挿通する挿通部を設けたことを特徴とする釣用収納具。
【請求項２】
上記ポケットの正面は透光性を有することを特徴とする請求項１記載の釣用収納具。
【発明の詳細な説明】
【技術分野】
【０００１】
本発明は、釣り場で糸巻きに巻回された釣糸を容易にリ−ルのスプ−ルに巻き換え可能な糸巻きを入れられるポケットを取り付けた釣用収納具に関する。
【背景技術】
【０００２】
従来、釣り場で糸巻きに巻回された釣糸をリ−ルのスプ−ルに巻き換える必要があることがある。
特許文献１のように釣用携行具の側面にポケットを取り付けた提案はあるが、ポケットの中に糸巻きを投入して糸巻きから釣糸を引き出す構造にはなっていないので、他に釣糸を引き出し容易に糸巻きを保持することが必要であった。
【特許文献１】特開２００１−３４００４６号公報
【発明の開示】
【発明が解決しようとする課題】
【０００３】
解決しようとする問題点は、釣り場で糸巻きに巻回された釣糸をリ−ルのスプ−ルに巻き換える必要がある時、糸巻きを保持して容易に釣糸を引き出せるようにしたものがないことである。
【０００４】
本発明の目的は前記欠点に鑑み、釣り場で自立して置ける釣用収納具に釣糸が容易に引き出せるポケットを取り付けた釣用収納具を提供することである。
【課題を解決するための手段】
【０００５】
本発明の請求項１は、釣用収納具に糸巻きを投入する開口を有するポケットを設け、該ポケットの側面に釣糸を挿通する挿通部を設けたことを要旨とするものである。
本発明の請求項２は、上記ポケットの正面は透光性を有することを要旨とするものである。
【発明の効果】
【０００６】
本発明の請求項１により、釣用収納具に取り付けたポケットの側面に釣糸を挿通する挿通部を設けたので糸巻きの釣糸が引き出し易く、糸巻きからリ−ルのスプ−ルに釣糸の移し換えが極めて容易になる。
本発明の請求項２により、ポケットの中に投入した糸巻きを容易に確認することができる。
【発明を実施するための最良の形態】
【０００７】
釣り場で自立して置ける釣竿ケ−スからなる釣用収納具１は、筒状の釣竿ケ−ス本体２と釣竿ケ−ス本体２の正面に取り付けられたポケット３と縦長袋４で構成されている。
ポケット３は透光性を有する合成樹脂シ−トで形成され、上部の開口αにはチャック１３が取り付けられている。
ポケット３の側部３ａのチャック１３の端より下側にハトメ状の環で釣糸を挿通する挿通部５が設けられている。
ポケット３内には糸巻き６が投入されて釣糸１４が挿通部５を通して外部に引き出される。
【実施例１】
【０００８】
以下、図示の実施例によって本発明を説明すると、図１から図４は第１実施例で、図１は釣竿ケ−スからなる釣用収納具にポケットが取り付けられた斜視図、図２はポケットの拡大斜視図、図３はポケットの拡大断面正面図、図４は釣竿ケ−スからなる釣用収納具のポケットの中から釣糸を引き出してリ−ルに巻回している状態の説明図である。
【０００９】
釣り場で自立して置ける釣竿ケ−スからなる釣用収納具１は、筒状の釣竿ケ−ス本体２の長手方向外側に肩掛けベルト１０とハンドル１１が取り付けられ、釣竿ケ−ス本体２内に図示しない釣竿やリ−ルが収納可能であり、釣竿ケ−ス本体２の正面にポケット３と縦長袋４が取り付けられている。
釣竿ケ−ス本体２と縦長袋４の外側材は布地やナイロン、塩化ビニ−ル、ポリプロピレン等の合成樹脂繊維の織布で形成されている。
釣竿ケ−ス本体２の底部は硬質の有底筒部材１２が固定され、釣用収納具１は立てた状態で載地できるようになっている。
ポケット３は正面より側面の幅が狭く形成され、少なくとも正面は透光性を有する塩化ビニ−ル、エチレン酢酸ビニ−ル等の合成樹脂のシ−トで形成され、上部の開口αにはチャック１３が取り付けられている。
ポケット３の側部３ａのチャック１３の端より下側にハトメ状の環で釣糸を挿通する孔からなる挿通部５が設けられている。
なお、この挿通部５は開口αの下方でポケット３の底部よりも開口αに近い位置に設ける。
ポケット３内には糸巻き６が投入されて釣糸１４が挿通部５を通して外部に引き出される。
ポケット３内の奥行きは適宜設定され、中仕切りのあるポケットとしてもよい。
ポケット３は釣竿ケ−ス本体２にベルクロファスナ−で着脱自在に取り付け可能とし、糸巻きの外径や厚さに応じたサイズのポケットを用意してもよい。
【００１０】
ポケット３の中の糸巻き６から挿通部５を通して釣糸１４を引き出して図４のようにリ−ル７のスプ−ル１５に釣糸１４が巻回される時は、釣竿ケ−スからなる釣用収納具１が地面に立てて載地するか又は、立てかけられた状態で保持されてポケット３の中から釣糸１４が引き出されてリ−ル７のスプ−ル１５に巻回される。
糸巻き６から釣糸１４を引き出す時、糸巻き６の下側から引き出しても上側から引き出すようにポケット３に糸巻き６を投入してもよい。
【００１１】
前記のように釣用収納具１が構成されると、ポケット３内の糸巻き６から挿通部５を通してリ−ル７のスプ−ル１５に釣糸１４の移し換えが極めて容易になる。
ポケット３の正面を透光性にすると中に投入した糸巻き６を容易に確認することができ、ポケット３内のスプ−ル１５の状態を見て確認しながら糸がからまないようにリ−ル７で巻き取ることができる。
【実施例２】
【００１２】
図５、図６は第２実施例で、図５は釣用道具入れからなる釣用収納具にポケットが取り付けられた斜視図、図６はポケットと釣用道具入れからなる釣用収納具の一部断面の分解側面図である。
【００１３】
釣り場で自立して置ける釣用道具入れからなる釣用収納具１′は、硬質の合成樹脂で釣用道具入れ本体８が形成され、釣用道具入れ本体８に蓋体１６が開閉自在に取り付けられてチャック１７で閉じられている。
釣用道具入れ本体８の対向する側面には肩掛けベルト１８が取り付けられている。
釣用道具入れ本体８の正面８ａにはポケット９が取り付けられている。
ポケット９は透光性を有する合成樹脂シ−トでポケット本体９ａと蓋体９ｂが一体的に形成されて側部に上部の開口αに連なる切欠きからなる釣糸を挿通する挿通部９ｃが形成されている。
ポケット本体９ａの正面にベルクロファスナ−１９が固定され、蓋体９ｂ側にもベルクロファスナ−が固定されている。
ポケット本体９ａの裏面と釣用道具入れ本体８の正面８ａに夫々ベルクロファスナ−２０、２１が固定されている。
ポケット本体９ａのなかには糸巻き６が投入されて切欠きからなる釣糸を挿通する挿通部９ｃから釣糸１４が引き出されると共に蓋体９ｂが閉じられる。
蓋体９ｂが閉じられると切欠きからなる挿通部９ｃの上方側を覆い開口αへの連続性が遮断されて下方側の部分が孔状になって覗くこととなる。
糸巻き６から釣糸１４が引き出されるように糸巻き６がポケット９に投入され釣糸１４を開口αから切欠きの挿通部９ｃに差し込む。
【００１４】
前記のように釣用収納具１′が構成されると、自立して置ける釣用道具入れ本体８の正面７ａにポケット９が取り付けられているので、糸巻き６から挿通部９ｃを通してリ−ルのスプ−ルに釣糸１４の移し換えが極めて容易になる。
【産業上の利用可能性】
【００１５】
本発明は釣用収納具全般に利用できる。
【図面の簡単な説明】
【００１６】
【図１】第１実施例で、釣竿ケ−スからなる釣用収納具にポケットが取り付けられた斜視図である。
【図２】同ポケットの拡大斜視図である。
【図３】同ポケットの拡大断面正面図である。
【図４】同釣竿ケ−スからなる釣用収納具のポケットの中から釣糸を引き出してリ−ルに巻回している状態の説明図である。
【図５】第２実施例で、釣用道具入れからなる釣用収納具にポケットが取り付けられた斜視図である。
【図６】同ポケットと釣用道具入れからなる釣用収納具の一部断面の分解側面図である。
【符号の説明】
【００１７】
１、１′  釣用収納具
３、９  ポケット
５、９ｃ  挿通部
６  糸巻き
【図１】
2007195472.tif 000003
【図２】
2007195472.tif 000004
【図３】
2007195472.tif 000005
【図４】
2007195472.tif 000006
【図５】
2007195472.tif 000007
【図６】
2007195472.tif 000008